(57)【特許請求の範囲】
【請求項１】
使用者に向けて光を照射する投光手段および使用者から反射した光を受光する受光手段を有するセンサ部を備えた手洗器において、使用者に向けて照射する前記光の照射方向が略水平方向になるよう前記投光手段を配置するとともに、前記投光手段を前記センサ部の下部位置に設け、更に、前記受光手段を前記投光手段から離れた前記センサ部の上部位置に設けた手洗器であって、
前記センサ部を上下方向に挟持・保持する上側胴体および下側胴体と、前記上側胴体および下側胴体の上下間隔を前記センサ部を上下方向に挟持可能な間隔に規制するための一対の筒状ピン体とを備えていることを特徴とする手洗器。
【請求項２】
筒状で、胴の上部に開口部を有するとともに、その開口部の下部に軸心方向に沿って形成された長孔を有し、使用者からみて手前に傾いた状態で取付け面部上に立設される金属製の水栓カバーと、使用者に向けて光を照射する投光手段および前記使用者から反射した光を受光する受光手段を有するセンサ部とを備え、更に、前記センサ部は、少なくとも前記投光手段および受光手段を覆うとともに前記長孔に整合する形状の光透過窓を設けた上下方向に長い筐体を有する一方、前記投光手段を、使用者に向けて照射する前記光の照射方向が略水平方向になるよう配置するとともに、前記投光手段を前記センサ部の下部位置に設け、前記受光手段を前記投光手段から離れた前記センサ部の上部位置に設けた手洗器であって、
前記センサ部を上下方向に挟持・保持する上側胴体および下側胴体と、前記上側胴体および下側胴体を上下位置に位置決め固定する一対のねじ部材と、これらねじ部材が挿通された状態で前記上側胴体および下側胴体の上下間隔を前記センサ部を上下方向に挟持可能な間隔に規制するための一対の筒状ピン体とを備えていることを特徴とする手洗器。
【請求項３】
筒状で、胴の上部に開口部を有するとともに、その開口部の下部に軸心方向に沿って形成された上下一対の孔を有し、使用者からみて手前に傾いた状態で取付け面部上に立設される金属製の水栓カバーと、使用者に向けて光を照射する投光手段および前記使用者から反射した光を受光する受光手段を有するセンサ部とを備え、更に、前記センサ部は、少なくとも前記投光手段および受光手段をそれぞれ覆うとともに前記上下一対の孔に整合する形状の光透過窓を設けた上下方向に長い筐体を有する一方、前記投光手段を、使用者に向けて照射する前記光の照射方向が略水平方向になるよう配置するとともに、前記投光手段を前記センサ部の下部位置に設け、前記受光手段を前記投光手段から離れた前記センサ部の上部位置に設けた手洗器であって、
前記センサ部を上下方向に挟持・保持する上側胴体および下側胴体と、前記上側胴体および下側胴体を上下位置に位置決め固定する一対のねじ部材と、これらねじ部材が挿通された状態で前記上側胴体および下側胴体の上下間隔を前記センサ部を上下方向に挟持可能な間隔に規制するための一対の筒状ピン体とを備えていることを特徴とする手洗器。
【請求項４】
円筒状で、周面の上部に開口部を有するとともに、前記周面における前記開口部の直下に軸心方向に沿って形成された長孔を有し、使用者からみて手前に傾いた状態で取付け面部上に立設されるよう切断して形成された下方開口を有する金属製の水栓カバーと、
使用者に向けて光を照射する投光手段および使用者から反射した光を受光する受光手段を有するセンサ部、ならびに、少なくとも前記投光手段および受光手段を覆うとともに前記下方開口から挿入されたときに前記長孔に整合する形状の光透過窓が設けられたセンサ部と、
平面視円形の天面部、平面視円弧状の背面部を有し、整流部材取り付け用のねじ部が形成された吐水口を前面部に有するとともに、この吐水口に連通する吐水流路を形成する吐水管の最下流端が接続される接続孔およびこの接続孔の両側に形成されたねじ孔を背面部の下面に有し、かつ、前記前面部における前記吐水口の直下に吐水口開口面よりも背面部側にＬ字型に凹んだ形で前記前面部に形成されたセンサ板上部保持部を有する上側胴体と、
前記吐水管が貫通する貫通穴およびこの貫通穴の両側に前記ねじ孔と対応する位置に形成されたねじ挿通孔を背面部に有する一方、前記センサ部が載置される上面と、前記下方開口と同じ傾斜の切断面に形成されている下面とを有する平面視円弧状の前面部を備えてなり、前記上側胴体とで前記センサ部を上下方向に挟持・保持する下側胴体と、
前記ねじ挿通孔に挿通保持されながら前記ねじ孔で螺合され、それによって、前記上側胴体および下側胴体を上下位置に位置決め固定する一対のねじ部材と、  一端および他端がそれぞれ前記ねじ挿通孔および前記ねじ孔に嵌め込まれ前記ねじ部材が挿通された状態で前記上側胴体および下側胴体の上下間隔を規制するための一対の筒状ピン体とを備え、  更に、前記センサ部は、前記光透過窓の外周を覆うシール部材を有し、前記上側胴体の前記センサ板上部保持部にねじ止めされた前記センサ部を、前記水栓カバーの前記開口部を介して前記上側胴体の側から、前記上側胴体の前記ねじ孔内に前記一対の筒状ピン体の上端を当接させながら前記水栓カバー内に挿入するとともに、前記光透過窓が前記長孔に整合するよう前記一対の筒状ピン体の下端を前記下側胴体の前記ねじ挿通孔内に当接させた状態で前記下側胴体も前記水栓カバー内に挿入し、続いて、整流部材を前記吐水口にねじ止めし、更に、前記ねじ部材を用いて前記水栓カバー内に前記上側胴体、センサ部および下側胴体を固定するときに前記下側胴体の上移動に伴い前記センサ部の下部側を前方へ変位させ、それによって、前記長孔およびシール部材間の隙間を閉塞しうる突出片を前記下側胴体の前記前面部の上面後端に有することを特徴とする手洗器。
【発明の詳細な説明】
【０００１】
【発明の属する技術分野】
この発明は、給水を自動で行う手洗器に関する。
【０００２】
【従来の技術】
図７は、洗面台１００の取付け面部１０１上に設置された従来の手洗器１０２を示す。図７において、センサ部１０３は、光（例えば赤外線や近赤外線など）Ｌ1 を使用者Ｕへ向けて照射するための投光手段（図示せず）と、使用者Ｕから反射して生じた反射光Ｌ2 を受光するための受光手段（図示せず）とを備えている。そして、使用者Ｕから反射した反射光Ｌ2 が前記受光手段によって受光されることで手洗器１０２からの給水が可能となっている。
【０００３】
【発明が解決しようとする課題】
ところで、光Ｌ1 が洗面ボール１０４に向くよう投光手段がセットされているので、例えばステンレス等の金属製の浅い洗面ボール１０４を有する洗面台１００に手洗器１０２が使用されると、使用者Ｕがいないのに洗面ボール１０４を感知して誤動作を起こす不都合があった。すなわち、使用者Ｕがいないのに照射光Ｌ1 が洗面ボール１０４の上面で反射する上、反射光Ｌ2 の光量は陶器面に比して大きく、しかも投光手段および照射面間の距離ならびに洗面ボール１０４および受光手段間の距離が短いことも作用して給水される事態が発生していた。
【０００４】
また、従来の手洗器１０２は、横幅も広く大型でデザイン的にも見栄えが悪かった。
【０００５】
この発明は上述の事柄に留意してなされたもので、その目的は、使用者ではなくて洗面ボールを感知して誤動作を起こすことを防止できるとともに、シール性も確保できる手洗器を提供することである。
【０００６】
【課題を解決するための手段】
上記目的を達成するために、この発明は、使用者に向けて光を照射する投光手段および使用者から反射した光を受光する受光手段を有するセンサ部を備えた手洗器において、使用者に向けて照射する前記光の照射方向が略水平方向になるよう前記投光手段を配置するとともに、前記投光手段を前記センサ部の下部位置に設け、更に、前記受光手段を前記投光手段から離れた前記センサ部の上部位置に設けた手洗器であって、
前記センサ部を上下方向に挟持・保持する上側胴体および下側胴体と、前記上側胴体および下側胴体の上下間隔を前記センサ部を上下方向に挟持可能な間隔に規制するための一対の筒状ピン体とを備えている（請求項１）。
【０００７】
また、この発明は別の観点から、筒状で、胴の上部に開口部を有するとともに、その開口部の下部に軸心方向に沿って形成された長孔を有し、使用者からみて手前に傾いた状態で取付け面部上に立設される金属製の水栓カバーと、使用者に向けて光を照射する投光手段および前記使用者から反射した光を受光する受光手段を有するセンサ部とを備え、更に、前記センサ部は、少なくとも前記投光手段および受光手段を覆うとともに前記長孔に整合する形状の光透過窓を設けた上下方向に長い筐体を有する一方、前記投光手段を、使用者に向けて照射する前記光の照射方向が略水平方向になるよう配置するとともに、前記投光手段を前記センサ部の下部位置に設け、前記受光手段を前記投光手段から離れた前記センサ部の上部位置に設けた手洗器であって、 前記センサ部を上下方向に挟持・保持する上側胴体および下側胴体と、前記上側胴体および下側胴体を上下位置に位置決め固定する一対のねじ部材と、これらねじ部材が挿通された状態で前記上側胴体および下側胴体の上下間隔を前記センサ部を上下方向に挟持可能な間隔に規制するための一対の筒状ピン体とを備えていることを特徴とする手洗器を提供する（請求項２）。
【０００８】
また、この発明は更に別の観点から、筒状で、胴の上部に開口部を有するとともに、その開口部の下部に軸心方向に沿って形成された上下一対の孔を有し、使用者からみて手前に傾いた状態で取付け面部上に立設される金属製の水栓カバーと、使用者に向けて光を照射する投光手段および前記使用者から反射した光を受光する受光手段を有するセンサ部とを備え、更に、前記センサ部は、少なくとも前記投光手段および受光手段をそれぞれ覆うとともに前記上下一対の孔に整合する形状の光透過窓を設けた上下方向に長い筐体を有する一方、前記投光手段を、使用者に向けて照射する前記光の照射方向が略水平方向になるよう配置するとともに、前記投光手段を前記センサ部の下部位置に設け、前記受光手段を前記投光手段から離れた前記センサ部の上部位置に設けた手洗器であって、
前記センサ部を上下方向に挟持・保持する上側胴体および下側胴体と、前記上側胴体および下側胴体を上下位置に位置決め固定する一対のねじ部材と、これらねじ部材が挿通された状態で前記上側胴体および下側胴体の上下間隔を前記センサ部を上下方向に挟持可能な間隔に規制するための一対の筒状ピン体とを備えていることを特徴とする手洗器を提供する（請求項３）。
【０００９】
また、この発明は、円筒状で、周面の上部に開口部を有するとともに、前記周面における前記開口部の直下に軸心方向に沿って形成された長孔を有し、使用者からみて手前に傾いた状態で取付け面部上に立設されるよう切断して形成された下方開口を有する金属製の水栓カバーと、使用者に向けて光を照射する投光手段および使用者から反射した光を受光する受光手段を有するセンサ部、ならびに、少なくとも前記投光手段および受光手段を覆うとともに前記下方開口から挿入されたときに前記長孔に整合する形状の光透過窓が設けられたセンサ部と、平面視円形の天面部、平面視円弧状の背面部を有し、整流部材取り付け用のねじ部が形成された吐水口を前面部に有するとともに、この吐水口に連通する吐水流路を形成する吐水管の最下流端が接続される接続孔およびこの接続孔の両側に形成されたねじ孔を背面部の下面に有し、かつ、前記前面部における前記吐水口の直下に吐水口開口面よりも背面部側にＬ字型に凹んだ形で前記前面部に形成されたセンサ板上部保持部を有する上側胴体と、前記吐水管が貫通する貫通穴およびこの貫通穴の両側に前記ねじ孔と対応する位置に形成されたねじ挿通孔を背面部に有する一方、前記センサ部が載置される上面と、前記下方開口と同じ傾斜の切断面に形成されている下面とを有する平面視円弧状の前面部を備えてなり、前記上側胴体とで前記センサ部を上下方向に挟持・保持する下側胴体と、前記ねじ挿通孔に挿通保持されながら前記ねじ孔で螺合され、それによって、前記上側胴体および下側胴体を上下位置に位置決め固定する一対のねじ部材と、一端および他端がそれぞれ前記ねじ挿通孔および前記ねじ孔に嵌め込まれ前記ねじ部材が挿通された状態で前記上側胴体および下側胴体の上下間隔を規制するための一対の筒状ピン体とを備え、更に、前記センサ部は、前記光透過窓の外周を覆うシール部材を有し、前記上側胴体の前記センサ板上部保持部にねじ止めされた前記センサ部を、前記水栓カバーの前記開口部を介して前記上側胴体の側から、前記上側胴体の前記ねじ孔内に前記一対の筒状ピン体の上端を当接させながら前記水栓カバー内に挿入するとともに、前記光透過窓が前記長孔に整合するよう前記一対の筒状ピン体の下端を前記下側胴体の前記ねじ挿通孔内に当接させた状態で前記下側胴体も前記水栓カバー内に挿入し、続いて、整流部材を前記吐水口にねじ止めし、更に、前記ねじ部材を用いて前記水栓カバー内に前記上側胴体、センサ部および下側胴体を固定するときに前記下側胴体の上移動に伴い前記センサ部の下部側を前方へ変位させ、それによって、前記長孔およびシール部材間の隙間を閉塞しうる突出片を前記下側胴体の前記前面部の上面後端に有することを特徴とする手洗器を提供する（請求項４）。
【００１０】
【発明の実施の形態】
以下、この発明の実施の形態について説明する。
図１〜図６は、この発明の一実施形態を示す。
【００１１】
図１〜図６において、手洗器１は、円筒状で金属製の水栓カバー２と、光透過窓４を設けた上下方向に長い正面視矩形の樹脂製筐体１８を有するセンサ部５と、このセンサ部５を上下方向に挟持・保持する合金製の上側胴体６および合金製の下側胴体７と、前記上側胴体６および下側胴体７を上下位置に位置決め固定する一対のねじ部材８，８と、これらねじ部材８，８が挿通された状態で前記上側胴体６および下側胴体７の上下間隔をセンサ部５を上下方向に挟持可能な間隔Ａに規制するための一対の筒状ピン体９，９とを主として備えている。前記水栓カバー２は、従来の手洗器１０２に比して、横幅も狭く小型である。
【００１２】
更に、前記水栓カバー２は、周面Ｑの上部に正面視円形の開口部１０を有するとともに、前記周面Ｑにおける前記開口部１０の直下に軸心方向に沿って形成された上下の長さがＳの長孔１１を有し、使用者からみて手前に傾いた状態で洗面台１２の、上面１３ａが水平な取付け面部１３上に立設されるよう切断して形成された下方開口１４を有する。前記開口部１０は、整流部材２３取り付け用の開口部である。また、前記光透過窓４は、前記長孔１１に整合する形状を有し、上下方向の長さは長孔１１の長さＳに略等しい。なお、水栓カバーは、金属面をバフ加工した後メッキ処理（例えばクロムメッキ処理）されている。
【００１３】
また、前記センサ部５は、使用者に向けて光（例えば赤外線や近赤外線など）Ｌ3 を照射する投光素子（投光手段）１５および使用者から反射した光Ｌ4 を受光する受光素子（受光手段）１６を有する。１７は、前記筐体１８内に設けられ、上面１７ａに前記各素子１５，１６が実装されている回路基板で、回路基板１７の実装面１７ａが水栓カバー２の前記軸心方向に沿う形で筐体１８の後面側に設置されている。一方、光透過窓４は、筐体１８の前面に形成された取り付け孔１８ａに取り付けられた状態で前記各素子１５，１６を覆う。また、光透過窓４と筐体１８とで実装面１７ａが覆われている。そして、前記光透過窓４、筐体１８、各素子１５，１６および回路基板１７でセンサ部３が構成されている。
【００１４】
なお、前記回路基板１７は、実装面１７ａが水栓カバー２の前記軸心方向に沿う形で筐体１８に取り付けられているので、回路基板１７も水栓カバー２および光透過窓４と同様に、使用者からみて手前に傾いた状態となっている。また、筐体１８の上端両側にはセンサ部３を後述する上側胴体６に接続するためのねじ挿通孔３，３が設けられている。
【００１５】
以下この発明の特徴的構成の一つについて説明する。
【００１６】
前記投光素子１５は、前記回路基板１７の実装面１７ａの下部位置Ｆに設けられている。また、前記受光素子１６は、前記回路基板１７の実装面１７ａの上部位置Ｇに設けられている。しかも、前記投光素子１５は、使用者に向けて照射する前記光Ｌ3 の照射方向が略水平方向になるよう配置される。この略水平方向とは、照射光Ｌ3 が洗面台１２の洗面ボール２００に向くのではなく、洗面ボール２００の上方を洗面台１２の取付け面部１３の上面１３ａに沿った形で照射光Ｌ3 が通りすぎる方向である。
【００１７】
そのため、照射光Ｌ3 が洗面ボール２００に向くよう投光素子１５が実装面１７ａにセットされているのではなくて、前記下部位置Ｆにおける前記実装面１７ａから所定角度（鋭角）θだけ前記実装面１７ａより上方側に傾斜した傾斜面の方向（Ｘ方向）に向くよう投光素子１５が設置されている。
【００１８】
一方、受光素子１６は、前記上部位置Ｇにおける前記実装面１７ａに対して直角な方向に立設されている。
【００１９】
更に、前記下部位置Ｆと上部位置Ｇ間の長さＨは、使用者から反射した前記反射光Ｌ4 が受光可能な距離に設定されている。
【００２０】
次に、前記上側胴体６、下側胴体７について詳述する。
【００２１】
前記上側胴体６は、平面視円形の天面部２１、平面視円弧状の背面部２２を有し、整流部材２３取り付け用のねじ部２４が形成された吐水口２５を前面部２６に有するとともに、この吐水口２５に連通する吐水流路を形成する吐水管２７の最下流端２７ａが接続される接続孔２８およびこの接続孔２８の両側に形成されたねじ孔３０，３０を背面部２２の下面３１に有する。更に、前記上側胴体６は、前記前面部２６における前記吐水口２５の直下に吐水口開口面２５ａよりも背面部２２側にＬ字型に凹んだ形で前記前面部２６に形成されたセンサ板上部保持部を有する。このセンサ板上部保持部は、前記吐水口２５の下面部を構成する水平面部３３とこの水平面部３３から直角に下方に折れ曲がり延設された垂直面部３４とよりなる。３５，３５は、この垂直面部３４に設けた一対のねじ孔で、センサ部５に設けた前記ねじ挿通孔３，３を挿通するねじ３６が螺合することで、センサ部５が上側胴体６に固定される。なお、上側胴体６は、例えば真鍮製である。
【００２２】
また、前記下側胴体７は、平面視円弧状の前面部４０と、背面部３９とよりなり、前記上側胴体６とで前記センサ部５を上下方向に挟持・保持する。そして、前記前面部４０は、前記センサ部５が載置される上面Ｍと、前記下方開口１４と同じ傾斜の切断面に形成されている下面Ｎとを有する。また、前記背面部３９は、前記吐水管２７が貫通する貫通穴３７およびこの貫通穴３７の両側に上側胴体６に設けた前記ねじ孔３０，３０と対応する位置に形成されたねじ挿通孔３８，３８を有する。なお、下側胴体７は、例えば真鍮製である。
なお、６０は、前面部４０の下面側から挿嵌された固定ボルトで、この固定ボルト６０を取付け面部１３に設けた取付け穴６３に挿通するとともに、吐水管２７を取付け面部１３に設けた挿通穴６６に挿通した後、固定部材６１を固定ボルト６０にはめ込み、取付け面部１３の下面側から締付けることで、下側胴体７を取付け面部１３上に固定できる。
【００２３】
一方、前記ねじ部材８，８は、前記ねじ挿通孔３８，３８に挿通保持されながら前記ねじ孔３０，３０で螺合され、それによって、前記上側胴体６および下側胴体７を上下位置に位置決め固定する。
【００２４】
４１は、前記光透過窓４の外周を覆うゴム製のシール部材である。
【００２５】
以下この発明のもう一つの特徴的構成について説明する。
【００２６】
４２は、前記下側胴体７の前記前面部４０の上面Ｍ後端から上面Ｍに対して垂直に上方延設された突出片である。
【００２７】
この突出片４２は、縦断面直角三角形をなし、前面側に傾斜面４３を位置させてある。突出片４２は、この傾斜面４３がセンサ部５の裏面下端部分５ｂに当接するような高さに設定されている。
【００２８】
而して、手洗器１を組み立てるには、まず、（１）前記上側胴体６の垂直面部３４に設けた一対のねじ孔３５，３５に前記センサ部５をねじ止めする。
【００２９】
（２）続いて、前記一対の筒状ピン体９，９の上端９ａ，９ａを上側胴体６の前記ねじ孔３０，３０手前に形成された前記ねじ孔３０，３０よりも大径の環状上当接面３０ａ，３０ａに当接させる。
（３）その後、前記水栓カバー２の前記開口部１４を介して前記上側胴体６の側から、前記上側胴体６、センサ部５および一対の筒状ピン体９，９を前記水栓カバー２内に挿入するとともに、前記光透過窓４が水栓カバー２の前記長孔１１に整合するよう前記一対の筒状ピン体９，９の下端９ｂ，９ｂを前記下側胴体７の前記ねじ挿通孔３８，３８内に形成された環状下当接面３８ａ，３８ａに当接させた状態で前記下側胴体７も前記水栓カバー２内に挿入する。この挿入状態では、図４に実線で示すように、センサ部５の下端５ａは下側胴体７のセンサ部載置上面Ｍに載っておらず、わずかにセンサ部５の下端５ａの裏面部分５ｂが、突出片４２の傾斜面４３の上端４３ａに当接しているだけである。
【００３０】
（４）続いて、前記整流部材取り付け用の開口部１０を介して整流部材２３を前記吐水口２５にねじ止めする。これにより、前記長孔１１およびシール部材４１間の長孔上部側に生じていた隙間を閉塞できる。
【００３１】
（５）続いて、前記挿入状態の前記ねじ部材８，８を前記ねじ孔３０，３０に締付けていくと、図４における実線で示されている前記挿入状態の下側胴体７は、前記ねじ部材８，８が矢印Ｔで示す方向に回動されてねじ孔３０，３０に入るにつれて上昇するに伴い、前記下側胴体７も矢印Ｊで示す方向（水栓カバー２の軸心方向に沿う方向）に上移動する。この移動は、前記挿入状態からねじ部材８，８を前記ねじ孔３０，３０に締付けるまで続く。このとき、突出片４２の傾斜面４３も上移動する。図４には二点鎖線でねじ部材８，８が前記ねじ孔３０，３０に締付けられた状態での下側胴体７のセンサ部載置上面Ｍの位置が示されている。そして、前記突出片４２の上移動に伴い突出片４２の傾斜面４３によってセンサ部５の下端５ａの裏面部分５ｂを前方に押圧する形でセンサ部５が矢印Ｐで示す長孔１１の方向に前方移動する。これにより、前記長孔１１およびシール部材４１間の長孔下部側に生じていた隙間も閉塞できる。
【００３２】
そのため、センサ部５の内部への水の侵入を防止できる。
【００３３】
一方、使用者に向けて照射する前記照射光Ｌ3 を洗面台１２の洗面ボール２００に向けるのではなく、略水平に飛ばすように構成しているので、例えばステンレス等の金属製の浅い洗面ボール２００を有する洗面台１２に手洗器１が使用されても、使用者がいないのに洗面ボール２００を感知するという誤動作を起こす不都合を確実に回避できる。
【００３４】
更に、水栓カバー２として、メッキ処理された円筒状のものを用いているので、手洗器１は重量感の中にシャープさを備えており、しかも従来の手洗器１０２のように横幅が広く大型でないので、デザイン的に見栄えがする。
【００３５】
しかも、センサ部を上下方向に挟持・保持する部材として、例えば真鍮製の一体物ではなくて例えば真鍮製の上下別部材の上側胴体および下側胴体を用いたので、上側胴体および下側胴体間を連結する連結部分が不要な分だけ、コスト削減できる利点を有する。
【００３６】
なお、水栓カバー２は、角筒状でもよい。
【００３７】
【発明の効果】
この発明では、使用者に向けて照射する前記光の照射方向が略水平方向になるよう前記投光手段を配置するとともに、前記投光手段を前記センサ部の下部位置に設け、更に、前記受光手段を前記投光手段から離れた前記センサ部の上部位置に設けたので、使用者ではなくて洗面ボールを感知して誤動作を起こすことを確実に防止できる。
【００３８】
また、下側胴体の前面部の上面後端に長孔およびシール部材間の隙間を閉塞しする突出片を設けたので、長孔からの水の侵入を確実に防止できる。
【００３９】
また、水栓カバーとして円筒状のものを用いているので、デザイン的に見栄えがする。
【００４０】
更に、センサ部を上下方向に挟持・保持する部材を別部材で構成したので、一体物に比してコスト安にできる。
【図面の簡単な説明】
【図１】  この発明の一実施形態を示す全体構成説明図である。
【図２】  （Ａ）は、上記実施形態における正面図である。
（Ｂ）は、上記実施形態における一部切欠き背面図である。
【図３】  上記実施形態における全体分解斜視図である。
【図４】  上記実施形態におけるセンサ部の取り付け動作を説明するための図である。
【図５】  上記実施形態における投光手段から照射される光の照射方向を説明するための図である。
【図６】  （Ａ）は、上記実施形態における下側胴体の縦断面図である。
（Ｂ）は、上記実施形態における下側胴体の下面図である。
【図７】  従来例の給水動作を示す図である。
【符号の説明】
６…上側胴体、７…下側胴体、８，８…一対のねじ部材、９，９…一対の筒状ピン体、１５…投光素子、１６…受光素子、１８…筐体、Ｆ…下部位置、Ｇ…上部位置、Ｌ3 …使用者に向けて照射する光、Ｌ4 …使用者から反射した光、Ａ…間隔。
【図１】
0004527870.tif 000002
【図２】
0004527870.tif 000003
【図３】
0004527870.tif 000004
【図４】
0004527870.tif 000005
【図５】
0004527870.tif 000006
【図６】
0004527870.tif 000007
【図７】
0004527870.tif 000008